(57)【要約】【課題】空気調和機の薄型前面パネルに意匠性の向上を目的として取り付ける半透明の飾り板を、安価で、確実に前面パネルに固定する空気調和機を提供すること。【解決手段】半透明の飾り板２には、裏面ではなく側面に、側面リブ８が備えられており、飾り板２の正面１０と上面１１との交わる稜線１２を中心とした円弧１３を描き、前面パネル１の裏面に設けられた溶着リブ７の上面を円弧１３に沿って形成することにより、半透明の飾り板２の裏面には何ら構成部品が配されないため、半透明の飾り板２を、意匠性の向上を目的として安価で、確実に前面パネル１に固定することが可能となる。【選択図】図２
2006194557.tif 000002
【特許請求の範囲】
【請求項１】
前面パネルに半透明の飾り板を持つ空気調和機であって、飾り板の側面に穴の開いたリブを設け、一方前記前面パネルの裏面に前記穴に通る溶着リブを設け、前記溶着リブの側面形状が、前記飾り板の上面と正面とが交わる稜線を中心として描いた円弧状の側面とすることを特徴とした空気調和機。
【発明の詳細な説明】
【技術分野】
【０００１】
本発明は、空気調和機の室内機の前面パネルに、デザイン性向上を目的として、取り付ける半透明の飾り板を持つ空気調和機に関するものである。
【背景技術】
【０００２】
近年、空気調和機の室内機の意匠性向上を目的とし、室内機の薄型化および、前面パネルへの飾り部品の取り付け等が行われる傾向にある。さらに、飾り部品を半透明な樹脂部品で構成する等、美しさに対する要望が高まっている（例えば、特許文献１参照）。
【０００３】
従来、前面パネルへの飾り板取り付けは、パネル自体が薄くなく、また、飾り板自体が半透明でなかったため、ツメによるはめ込みで固定するなどの方法を取っていた。
【０００４】
しかしながら、パネルの薄型化に伴ない、ツメ形状を構成するための寸法を確保できなくなった。
【０００５】
また、飾り板の裏側にリブを立て、前面パネルに設けた穴に挿入した後、リブを溶着する方法もあるが、飾り板が半透明な樹脂部品であると、飾り板の裏側に立てたリブが表側から透けて見えてしまい、かえって意匠性を損なってしまう。そこで、飾り板と前面パネルを両面テープで接着するという方法を取らざるを得なかった。
【０００６】
従来の技術について、図面を用いてもう少し詳しく説明をする。
【０００７】
図４（ａ）は、従来の技術を示す空気調和機の斜視図である。図４（ａ）において、室内機の前面パネル１には、飾り板２が締結されている。
【０００８】
図４（ｂ）は、図４（ａ）の従来の技術を示す空気調和機の斜視図におけるＡ部の詳細を示す拡大斜視図である。図４（ｂ）において、飾り板２の裏面に溶着リブ３が備えられ、前面パネル１には溶着リブに設けられた穴４に挿入し、溶着リブを溶着することにより、前面パネル１と飾り板２を締結する。しかしながら、飾り板２が半透明であると、飾り板２に供えられた溶着リブ３が正面から見ると透けて見えてしまう。
【０００９】
図４（ｃ）は、図４（ａ）の従来の技術を示す空気調和機の斜視図におけるＡ部の詳細を示す拡大斜視図であり、図４（ｂ）とは別の形態を示すものである。図４（ｃ）において、飾り板２は両面テープ５によって、前面パネル１と締結される。この場合、長期に渡る使用において、両面テープ５の接着力が低下し飾り板２が外れやすいという課題を有している。
【特許文献１】特開２００３−１４８７６２号公報
【発明の開示】
【発明が解決しようとする課題】
【００１０】
しかしながら、上記の方法は、長期にわたって使用していると、両面テープの接着力が低下し、飾り板が外れやすくなるという課題を有していた。また、接着剤により接着するという方法があるが、塗布作業を伴なう為コストが大幅にｕｐするため、採用することができなかった。
【００１１】
本発明は、前記従来の課題を解決するもので、コストｕｐすること無く、薄型パネルに半透明な飾り板を安価で確実に固定する締結される空気調和機を提供する。
【課題を解決するための手段】
【００１２】
前記従来の課題を解決するために、本発明の空気調和機は、前面パネルに半透明の飾り板を持つ空気調和機であって、飾り板の側面に穴の開いたリブを有し、一方前記前面パネルの裏面に前記穴に通る溶着リブを有し、前記溶着リブの側面形状が、前記飾り板の上面と正面とが交わる稜線を中心として描いた円弧状の側面とすることを特徴とする。
【００１３】
これによって、溶着リブが正面から見えず意匠性を損なわず、溶着リブを溶着することで、安価で確実に前面パネルと飾り板を締結することが可能となる。
【発明の効果】
【００１４】
本発明の空気調和機は、薄型前面パネルに半透明の飾り板を安価で確実な締結を行うことで、意匠性を高め、長期使用しても外れない耐久性を提供することが出来る。
【発明を実施するための最良の形態】
【００１５】
第１の発明は、前面パネルに半透明の飾り板を持つ空気調和機であって、飾り板の側面に穴の開いたリブを有し、一方前記前面パネルの裏面に前記穴に通る溶着リブを有し、前記溶着リブの側面形状が、前記飾り板の上面と正面とが交わる稜線を中心として描いた円弧状の側面とする構造を持ち、溶着リブが正面から見えず、溶着リブを溶着することで、安価で確実に前面パネルと飾り板を締結することが可能となり、意匠性を損なうことなく、長期使用に対する耐久性を提供することが可能となる。
【００１６】
以下、本発明の実施の形態について、図面を参照しながら説明する。なお、この実施の形態によって本発明が限定されるものではない。
【００１７】
（実施の形態１）
図１は、本発明の第一の実施の形態における空気調和機の正面図及び断面図を示すものである。
【００１８】
図１（ａ）において、不透明の前面パネル１には穴６が空いている。また、図１（ｂ）は、図１（ａ）Ｂ−Ｂ断面を示しており、この図１（ｂ）において、前面パネル１の裏面には溶着リブ７が備えられている。
【００１９】
図１（ｃ）において、半透明の飾り板２には、裏面ではなく側面に、側面リブ８が備えられている。側面リブ８には、前面パネル１に備えられた溶着リブ７が挿入される挿入穴９が設けられている。この様子は図１（ｃ）Ｃ−Ｃ断面を示している図１（ｄ）からも良くわかる。
【００２０】
図２は、本発明の第一の実施の形態における飾り板を前面パネルに挿入している状態の断面図である。
【００２１】
図２において、飾り板２の正面１０と上面１１との交わる稜線１２を中心とした円弧１３を描き、前面パネル１の裏面に設けられた溶着リブ７の上面を円弧１３に沿って形成されている。
【００２２】
以上のように構成された空気調和機について、以下その動作、作用を説明する。
【００２３】
まず、図１（ｃ）において、半透明の飾り板２には、裏面ではなく側面に、側面リブ８が備えられているため、飾り板２を正面からみても、側面リブ８が透けて見えてしまうことが無い。
【００２４】
次に、図２において、飾り板２の側面リブ８は前面パネル１に形成された穴６に挿入される。そして、溶着リブ７を挿入穴９に挿入して行くのだが、溶着リブ７の上面が円弧１３に沿って形成されているため、容易に挿入することが出来る。図３は前面パネルに飾り板を挿入完了状態を示す断面図であり、図３に示すように前面パネル１に飾り板２を挿入完了することが出来る。そして、溶着リブ７の先端を熱したコテ等で押しつぶすことにより、確実に締結することが出来ることとなる。この時、前面パネル１は不透明であるため、前面パネル１の裏面側に配された溶着リブ７および飾り板２の側面リブ８は、前面パネル１の前面側からは見ることが出来ないものである。
【００２５】
以上のように、本実施の形態においては、薄型の前面パネル１に半透明の飾り板２を安価で確実な締結を行うことで、意匠性を高め、長期使用しても外れない耐久性を提供することが出来る。
【産業上の利用可能性】
【００２６】
以上のように、本発明にかかる空気調和機の構造は、半透明な飾り板を締結する部分を持つ樹脂部品全般に応用可能である。
【図面の簡単な説明】
【００２７】
【図１】（ａ）本発明の実施の形態１における空気調和機の前面パネルを示す正面図（ｂ）同前面パネルの正面図（ａ）におけるＢ−Ｂ断面図（ｃ）同飾り板を示す正面図（ｄ）同飾り板の正面図（ｃ）におけるＣ−Ｃ断面図
【図２】本発明の実施の形態１における空気調和機の飾り板を前面パネルに挿入している状態を示す断面図
【図３】本発明の実施の形態１における空気調和機の飾り板を前面パネルに挿入した状態を示す断面図
【図４】（ａ）従来の空気調和機を示す斜視図（ｂ）（ａ）の従来の空気調和機の斜視図におけるＡ部の詳細を示す斜視図（ｃ）（ａ）の従来の空気調和機の斜視図におけるＡ部の詳細を示す斜視図
【符号の説明】
【００２８】
１  前面パネル
２  飾り板
６  穴
７  溶着リブ
８  側面リブ
９  挿入穴
１０  飾り板の正面
１１  飾り板の上面
１２  稜線
１３  円弧
【図１】
2006194557.tif 000003
【図２】
2006194557.tif 000004
【図３】
2006194557.tif 000005
【図４】
2006194557.tif 000006